(57)【要約】      （修正有）【課題】蓋容器に、いわゆる「転び止め」となる壁部があり、蓋容器の上に品物を収容可能な、安価な蓋容器を有するテーパースタッキングボックスを提供する。【解決手段】蓋容器３が、上方開放された有底箱形の、下方に収斂する四角錐台形の浅い皿形の形状を有していること、この蓋容器の底部を下方に向けて、本体容器２の上方開口部に内嵌めされて使用される蓋であること、この本体容器２の上方開口部に内嵌めされることによって蓋としての機能を発揮するために、この蓋容器３の下方から見た時の外形輪郭がこの本体容器２の同様に下方から見た時の外形輪郭に相似して形成されており、この蓋容器３の四角錐台形の下方底部の外周周囲寸法が、この本体容器２の上方開口部の内周周囲寸法より小さく、この蓋容器３の四角錐台形の上方開口部の外周周囲寸法が、この本体容器２の上方開口部の内周周囲寸法より大きいこと、および、この蓋容器３のテーパー角度θ３が、この本体容器２のテーパー角度θ２より僅かに大きい。【選択図】図２
0003105722.tif 000002
【実用新案登録請求の範囲】
【請求項１】
下方に収斂する四角錐台形の、上方開放された有底箱形の本体容器と、この本体容器の上方開口部に載置される、蓋体としての蓋容器から成るテーパースタッキングボックスにおいて、
蓋容器（３）が、
上方開放された有底箱形の、下方に収斂する四角錐台形の浅い皿形の形状を有していること、
この蓋容器の底部を下方に向けて、本体容器（２）の上方開口部に内嵌めされて使用される蓋であること、
この本体容器（２）の上方開口部に内嵌めされることによって蓋としての機能を発揮するために、この蓋容器（３）の下方から見た時の外形輪郭がこの本体容器（２）の同様に下方から見た時の外形輪郭に相似して形成されており、この蓋容器（３）の四角錐台形の下方底部の外周周囲寸法が、この本体容器（２）の上方開口部の内周周囲寸法より小さく、この蓋容器（３）の四角錐台形の上方開口部の外周周囲寸法が、この本体容器（２）の上方開口部の内周周囲寸法より大きいこと、および、
この蓋容器（３）のテーパー角度（θ３）が、この本体容器（２）のテーパー角度（θ２）より僅かに大きいこと、
を特徴とするテーパースタッキングボックス。
【請求項２】
本体容器（２）の内側中間に内嵌めされる、少なくとも１つ以上から成る落し蓋容器（４）であって、
この落し蓋容器（４）が、
上方開放された有底箱形の、下方に収斂する四角錐台形の浅い皿形の形状を有していること、
この落し蓋容器の底部を下方に向けて、本体容器（２）の内部中間位置において内嵌めされて使用される落し蓋であること、
この本体容器（２）の内部中間位置に内嵌めされることによって、落し蓋としての機能を発揮するために、この落し蓋容器（４）の下方から見た時の外形輪郭がこの本体容器（２）の同様に下方から見た時の外形輪郭に相似して形成されており、この落し蓋容器（４）の四角錐台形の上方開口部の外周周囲寸法が、この本体容器（２）の上方開口部の内周周囲寸法と下方底部の内周周囲寸法の中間の寸法を有していること、および、
この落し蓋容器（４）のテーパー角度（θ４）が、この本体容器（２）のテーパー角度（θ２）より僅かに大きいこと、
を特徴とする請求項１に記載のテーパースタッキングボックス。
【請求項３】
本体容器（２）、蓋容器（３）、および落し蓋容器（４）は、再生繊維ボードから成ることを特徴とする請求項１または２に記載のテーパースタッキングボックス。
【請求項４】
本体容器（２）、蓋容器（３）、および落し蓋容器（４）には、持ち運び、および取り出し用の、少なくとも２つの取っ手用開口部（５）が設けられていることを特徴とする請求項１から３のいずれか一つに記載のテーパースタッキングボックス。
【考案の詳細な説明】
【技術分野】
【０００１】
本考案は下方に収斂する四角錐台形の、上方開放された有底箱形の本体容器と、この本体容器の上方開口部に載置される、蓋体としての蓋容器から成るテーパースタッキングボックスに関する。
【背景技術】
【０００２】
従来、上方開放された有底箱形のスタッキングボックスは、構造が簡単であり、安価であることから、例えば、実開平６−８５２２０号公報（実用新案文献１）で公知されているような収納用ボックスとして、広く使用されている。更に、このようなスタッキングボックスをテーパー形状、即ち四角錐台形とすることにより、運搬時に積み重ねができ、複数個を運搬する際に、嵩張らないようにすることも広く行われている。
【０００３】
更に、このようなテーパースタッキングボックスに、下方に開放された有底箱形の蓋体を備えることも、同様に良く行われることである。しかし、このような通常の蓋体の場合、この蓋体の上には、いわゆる「転び止め」となる壁部が無いため、この蓋体の上に品物を収容するには基本的にできない。
【非特許文献１】実開平６−８５２２０号公報
【考案の開示】
【考案が解決しようとする課題】
【０００４】
従って、本考案の課題は、本体容器と、蓋体としての蓋容器から成るテーパースタッキングボックスにおいて、この蓋容器にも、いわゆる「転び止め」となる壁部がある、この蓋容器の上にも品物を収容可能な、安価な蓋容器を有するテーパースタッキングボックスを提供することにある。
【課題を解決するための手段】
【０００５】
この課題は本考案に従い、下方に収斂する四角錐台形の、上方開放された有底箱形の本体容器と、この本体容器の上方開口部に載置される、蓋体としての蓋容器から成るテーパースタッキングボックスにおいて、蓋容器が、
上方開放された有底箱形の、下方に収斂する四角錐台形の浅い皿形の形状を有していること、
この蓋容器の底部を下方に向けて、本体容器の上方開口部に内嵌めされて使用される蓋であること、
この本体容器の上方開口部に内嵌めされることによって蓋としての機能を発揮するために、この蓋容器の下方から見た時の外形輪郭がこの本体容器の同様に下方から見た時の外形輪郭に相似して形成されており、この蓋容器の四角錐台形の下方底部の外周周囲寸法が、この本体容器の上方開口部の内周周囲寸法より小さく、この蓋容器の四角錐台形の上方開口部の外周周囲寸法が、この本体容器の上方開口部の内周周囲寸法より大きいこと、および、
この蓋容器のテーパー角度が、この本体容器のテーパー角度より僅かに大きいこと、によって解決される。
【考案の効果】
【０００６】
請求項２の特徴により、本体容器の内側中間に内嵌めされる、少なくとも１つ以上から成る落し蓋容器４であって、
この落し蓋容器が、
上方開放された有底箱形の、下方に収斂する四角錐台形の浅い皿形の形状を有していること、
この落し蓋容器の底部を下方に向けて、本体容器の内部中間位置において内嵌めされて使用される落し蓋であること、
この本体容器の内部中間位置に内嵌めされることによって、落し蓋としての機能を発揮するために、この落し蓋容器の下方から見た時の外形輪郭がこの本体容器の同様に下方から見た時の外形輪郭に相似して形成されており、この落し蓋容器の四角錐台形の上方開口部の外周周囲寸法が、この本体容器の上方開口部の内周周囲寸法と下方底部の内周周囲寸法の中間の寸法を有していること、および、
この落し蓋容器のテーパー角度が、この本体容器のテーパー角度より僅かに大きい場合に有利である。
この落し蓋容器は、本体容器を、２段から数段に分けて使用することを可能にする。
【０００７】
請求項３の特徴により、本考案による本体容器、蓋容器、および落し蓋容器は、再生繊維ボード、例えば、北越製紙株式会社から販売されている「パスコ（登録商標）」から成っている。この再生繊維ボードは、通常のダンボール等に比較して強度があり、耐磨耗性、耐衝撃性を有し、反り・カールなどの変形が無く、更に、地球にやさしい商品であるという特徴を有している。
【０００８】
請求項４の特徴により、本体容器、蓋容器、および落し蓋容器には、持ち運び、および取り出し用の少なくとも２つの取っ手用開口部が設けられている場合、有利である。
【０００９】
次に、図を参照して本考案の実施の形態を詳しく説明する。
【考案を実施するための最良の形態】
【００１０】
図１には、本考案による、本体容器２と、蓋容器３から成るテーパースタッキングボックス１が、使用状態でもって図示されている。図２は、これら本体容器２および蓋容器３が、分解された状態での図である。
【００１１】
本体容器２は、方形状の底壁２３と、この底壁２３の各辺に折線を介して連なる台形状の、２対の側壁２１、２２から形成されており、これら側壁２１、２２の各々は、適当に接合されている。従って、この本体容器２は、下方に収斂する四角錐台形の、上方開放された有底箱形の容器を形成している。
【００１２】
蓋容器３は、図２から見て取れるように、上方開放された有底箱形の、下方に収斂する四角錐台形の浅い皿形の形状を有している。この蓋容器３は、本体容器２の上方開口部に載置されるが、更にこれら図１、２から判るように、この蓋容器３は、本発明により、蓋容器の底部を下方に向けて、本体容器２の上方開口部に内嵌めされて使用される。この蓋容器３は、この本体容器２の上方開口部に内嵌めされることによって蓋としての機能を発揮するために、この蓋容器３の下方から見た時の外形輪郭がこの本体容器２の同様に下方から見た時の外形輪郭に相似して形成されている。更に、この蓋容器３は、この蓋容器３の四角錐台形の下方底部の外周周囲寸法が、この本体容器２の上方開口部の内周周囲寸法より小さく、この蓋容器３の四角錐台形の上方開口部の外周周囲寸法が、この本体容器２の上方開口部の内周周囲寸法より大きく形成されている。これらことによって、この蓋容器３は、この本体容器２に対して隙間なく内嵌めされ、且つ、この本体容器２の上方開口部の上辺より、この蓋容器３の上辺が上方に突出する。
【００１３】
更に、蓋容器３のテーパー角度θ３は、本体容器２のテーパー角度θ２より僅かに大きく形成される（θ３＞θ２）。このテーパー角度の差により、この本体容器２の内面に対してこの蓋容器３の外面が、密着することは無く、この蓋容器３の取り外しは容易となる。
【００１４】
図３は、本考案の更なる構成を示しており、この図中に、本体容器２の内側中間に内嵌めされる落し蓋容器４が１つの場合として図示されている。落し蓋容器４は、蓋容器３と同様に、上方開放された有底箱形の、下方に収斂する四角錐台形の浅い皿形の形状を有しており、この落し蓋容器の底部を下方に向けて、この本体容器２の内部中間位置において内嵌めされて使用される。この落し蓋容器４は、この本体容器２の内部中間位置に内嵌めされることによって、落し蓋としての機能を発揮するために、この落し蓋容器４の下方から見た時の外形輪郭がこの本体容器２の同様に下方から見た時の外形輪郭に相似して形成されている。更に、この落し蓋容器４の四角錐台形の上方開口部の外周周囲寸法が、この本体容器２の上方開口部の内周周囲寸法と下方底部の内周周囲寸法の中間の寸法を有している。これらのことによって、この蓋容器３は、この本体容器２に対して隙間なく、中間の高さでもって内嵌めされる。この落し蓋容器４の本体容器２に対する寸法の比によって、この落し蓋容器４の本体容器２に対する内嵌め高さは変更可能であること、並びに、内周周囲寸法の比の異なる落し蓋容器４を複数個使用して、数段に分けることが可能であることは、言うまでも無い。
【００１５】
更に、落し蓋容器４のテーパー角度θ４は、この本体容器２のテーパー角度θ２より僅かに大きく形成される（θ４＞θ２）。このテーパー角度の差により、この本体容器２の内面に対してこの蓋容器３の外面が、密着することは無く、この蓋容器３の取り外しは容易となる。
【００１６】
本体容器２、蓋容器３、および落し蓋容器４には、持ち運び、および取り出し用の、少なくとも２つの取っ手用開口部５が設けられている。
【００１７】
本体容器２、蓋容器３、および落し蓋容器４は、再生繊維ボード、例えば、北越製紙株式会社から販売されている「パスコ（登録商標）」から成っている。しかしながら、材料は、これに限られるものではなく、バルカナイズド・ファイバー、樹脂、木材、金属、通常のダンボール等であっても良い。ただし、本考案による再生繊維ボードは、安価でありながら強度があり、耐磨耗性、耐衝撃性を有し、反り・カールなどの変形が無く、更に、地球にやさしい商品であるという点で、他の材料よりも優れている。
【００１８】
本体容器２の深さは、図１に示したものより、より深くても、或いはより浅くても良い。更に、側壁２１および２２は、幅方向で同じでも異なっていても良く、それぞれの場合、下方から見て、正方形、或いは長方形の輪郭となる。また、円形、多角形の輪郭も可能である。
【図面の簡単な説明】
【００１９】
【図１】本考案による、本体容器２と、蓋容器３から成るテーパースタッキングボックス１が、使用状態でもって図示した図である。
【図２】図１による、本体容器２および蓋容器３が、分解された状態での図である。
【図３】本体容器２の内側中間に内嵌めされる落し蓋容器４が１つの場合を示した図である。
【符号の説明】
【００２０】
１    テーパースタッキングボックス
２    本体容器
２１  側壁
２２  側壁
２３  底壁
３    蓋容器
４    落し蓋容器
５    取っ手用開口部
θ２  本体容器のテーパー角度
θ３  蓋容器のテーパー角度
θ４  落し蓋容器のテーパー角度
【図１】
0003105722.tif 000003
【図２】
0003105722.tif 000004
【図３】
0003105722.tif 000005